【手続補正書】
【提出日】平成29年2月6日(2017.2.6)
【手続補正１】
【補正対象書類名】明細書
【補正対象項目名】００１６
【補正方法】変更
【補正の内容】
【００１６】
本発明は、自機のサービスが応答可能な動作状態となっている場合には、ユーザの印刷データが記憶されている画像形成装置の識別情報の一覧を、他の情報処理装置からの前記識別情報の次の受信による識別情報の一覧の更新より先に更新可能な仕組みを提供することを目的とする。
【手続補正２】
【補正対象書類名】明細書
【補正対象項目名】００１７
【補正方法】変更
【補正の内容】
【００１７】
本発明は、取得した印刷データを印刷する印刷サービス、及び、いずれの識別情報の画像形成装置にいずれのユーザの印刷データが記憶されているかを管理するネームサービスを備える複数の画像形成装置と、情報処理装置とを含む画像形成システムであって、前記印刷サービスを備える第１の画像形成装置は、前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、自機のログインユーザの印刷データが記憶されている画像形成装置の前記識別情報を、前記送信手段による送信先とされている、ネームサービスを備える画像形成装置に要求する要求手段と、前記要求手段による要求を行う際に、前記プライマリのネームサービスの応答確認を行い、前記プライマリのネームサービスが応答可能な動作状態か判定する判定手段と、前記プライマリのネームサービスが応答可能な動作状態となっていない場合は、前記第３の画像形成装置に要求して前記ログインユーザの印刷データが記憶されている画像形成装置の識別情報を受信し、前記応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、前記受信手段により受信した前記識別情報の示す画像形成装置から、前記ログインユーザの印刷データを取得する取得手段と、を備え、前記第２の画像形成装置は、前記送信手段により送信され受信した前記識別情報を用いて、自機に記憶されている、ユーザの印刷データが記憶されている画像形成装置の識別情報の一覧を更新する更新手段を備え、前記更新手段は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする画像形成システム
【手続補正３】
【補正対象書類名】明細書
【補正対象項目名】００１８
【補正方法】変更
【補正の内容】
【００１８】
また、前記要求手段は、前記プライマリのネームサービスが前記応答可能な動作状態となってから所定時間が経過するまでは、自機のログインユーザの印刷データが記憶されている画像形成装置の識別情報を前記プライマリのネームサービスを備える第２の画像形成装置と前記セカンダリのネームサービスを備える第３の画像形成装置それぞれに対して要求することを特徴とする。
また、前記要求手段は、前記プライマリのネームサービスが前記応答可能な動作状態となってから、前記更新手段による前記更新の完了のための所定時間が経過するまでは、自機のログインユーザの印刷データが記憶されている画像形成装置の識別情報を前記プライマリのネームサービスを備える前記第２の画像形成装置には要求することなく前記セカンダリのネームサービスを備える前記第３の画像形成装置に対して要求し、前記プライマリのネームサービスが前記応答可能な動作状態となってから所定時間が経過した後は、前記識別情報を前記第３の画像形成装置に要求することなく前記第２の画像形成装置に要求することを特徴とする。
【手続補正４】
【補正対象書類名】明細書
【補正対象項目名】００１９
【補正方法】変更
【補正の内容】
【００１９】
本発明によれば、自機のサービスが応答可能な動作状態となっている場合には、ユーザの印刷データが記憶されている画像形成装置の識別情報の一覧を、他の情報処理装置からの前記識別情報の次の受信による識別情報の一覧の更新より先に更新可能とすることができる。
【手続補正５】
【補正対象書類名】特許請求の範囲
【補正対象項目名】全文
【補正方法】変更
【補正の内容】
【特許請求の範囲】
【請求項１】
取得した印刷データを印刷する印刷サービス、及び、いずれの識別情報の画像形成装置にいずれのユーザの印刷データが記憶されているかを管理するネームサービスを備える複数の画像形成装置と、情報処理装置とを含む画像形成システムであって、
前記印刷サービスを備える第１の画像形成装置は、
前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、
自機のログインユーザの印刷データが記憶されている画像形成装置の前記識別情報を、前記送信手段による送信先とされている、ネームサービスを備える画像形成装置に要求する要求手段と、
前記要求手段による要求を行う際に、前記プライマリのネームサービスの応答確認を行い、前記プライマリのネームサービスが応答可能な動作状態か判定する判定手段と、
前記プライマリのネームサービスが応答可能な動作状態となっていない場合は、前記第３の画像形成装置に要求して前記ログインユーザの印刷データが記憶されている画像形成装置の識別情報を受信し、前記応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、
前記受信手段により受信した前記識別情報の示す画像形成装置から、前記ログインユーザの印刷データを取得する取得手段と、
を備え、
前記第２の画像形成装置は、
前記送信手段により送信され受信した前記識別情報を用いて、自機に記憶されている、ユーザの印刷データが記憶されている画像形成装置の識別情報の一覧を更新する更新手段
を備え、
前記更新手段は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする画像形成システム。
【請求項２】
前記要求手段は、前記プライマリのネームサービスが前記応答可能な動作状態となってから所定時間が経過するまでは、自機のログインユーザの印刷データが記憶されている画像形成装置の識別情報を前記プライマリのネームサービスを備える第２の画像形成装置と前記セカンダリのネームサービスを備える第３の画像形成装置それぞれに対して要求することを特徴とする請求項１に記載の画像形成システム。
【請求項３】
前記要求手段は、前記プライマリのネームサービスが応答可能な動作状態となってから、前記更新手段による前記更新の完了のための所定時間が経過するまでは、自機のログインユーザの印刷データが記憶されている画像形成装置の識別情報を前記プライマリのネームサービスを備える前記第２の画像形成装置には要求することなく前記セカンダリのネームサービスを備える前記第３の画像形成装置に対して要求し、
前記プライマリのネームサービスが前記応答可能な動作状態となってから所定時間が経過した後は、前記識別情報を前記第３の画像形成装置に要求することなく前記第２の画像形成装置に要求することを特徴とする請求項１または２に記載の画像形成システム。
【請求項４】
前記送信手段は、前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える複数の第３の画像形成装置に送信し、
前記更新手段は、前記第１の画像形成装置からの前記識別情報の次の受信による識別情報の一覧の更新より先に更新させるべく、自機のネームサービスが応答可能な動作状態となる場合に、前記印刷サービスを備える自機の送信手段による送信先とされている前記画像形成装置の識別情報の一覧から特定される、自機のネームサービスが応答可能な動作状態でなかった間も前記識別情報を受信して更新していたセカンダリのネームサービスを備える第３の画像形成装置のうちの１つとして通信し、前記セカンダリのネームサービスと同期して自機内の前記識別情報の一覧の更新を行うことを特徴とする請求項１乃至３のいずれか１項に記載の画像形成システム。
【請求項５】
取得した印刷データを印刷する印刷サービス、及び、いずれの識別情報の画像形成装置にいずれのユーザの印刷データが記憶されているかを管理するネームサービスを備える複数の画像形成装置と、情報処理装置とを含む画像形成システムの制御方法であって、
前記印刷サービスを備える第１の画像形成装置において、
前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える複数の第３の画像形成装置に送信する送信工程と、
自機のログインユーザの印刷データが記憶されている画像形成装置の前記識別情報を、前記送信工程による送信先とされている、ネームサービスを備える画像形成装置に要求する要求工程と、
前記要求工程による要求を行う際に、前記プライマリのネームサービスの応答確認を行い、前記プライマリのネームサービスが応答可能な動作状態か判定する判定工程と、
前記プライマリのネームサービスが応答可能な動作状態となっていない場合は、前記第３の画像形成装置に要求して前記ログインユーザの印刷データが記憶されている画像形成装置の識別情報を受信し、前記応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信工程と、
前記受信工程により受信した前記識別情報の示す画像形成装置から、前記ログインユーザの印刷データを取得する取得工程と、
を含み、
前記第２の画像形成装置において、
前記送信工程により送信され受信した前記識別情報を用いて、自機に記憶されている、ユーザの印刷データが記憶されている画像形成装置の識別情報の一覧を更新する更新工程
を含み、
前記更新工程は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする画像形成システムの制御方法。
【請求項６】
取得した印刷データを印刷する印刷サービス、及び、いずれの識別情報の画像形成装置にいずれのユーザの印刷データが記憶されているかを管理するネームサービスを備える複数の画像形成装置と、情報処理装置とを含む画像形成システムを制御するためのプログラムであって、
前記印刷サービスを備える第１の画像形成装置を、
前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、
自機のログインユーザの印刷データが記憶されている画像形成装置の前記識別情報を、前記送信手段による送信先とされている、ネームサービスを備える画像形成装置に要求する要求手段と、
前記要求手段による要求を行う際に、前記プライマリのネームサービスの応答確認を行い、前記プライマリのネームサービスが応答可能な動作状態か判定する判定手段と、
前記プライマリのネームサービスが応答可能な動作状態となっていない場合は、前記第３の画像形成装置に要求して前記ログインユーザの印刷データが記憶されている画像形成装置の識別情報を受信し、前記応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、
前記受信手段により受信した前記識別情報の示す画像形成装置から、前記ログインユーザの印刷データを取得する取得手段
前記受信手段により受信した前記識別情報の示す画像形成装置から、前記ログインユーザの印刷データを取得する取得手段として機能させ、
前記第２の画像形成装置を、
前記送信手段により送信され受信した前記識別情報を用いて、自機に記憶されている、ユーザの印刷データが記憶されている画像形成装置の識別情報の一覧を更新する更新手段として機能させ、
前記更新手段は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うためのプログラム。
【請求項７】
情報処理装置と通信可能であって、また、取得した印刷データを印刷する印刷サービス、及び、いずれの識別情報の画像形成装置にいずれのユーザの印刷データが記憶されているかを管理するネームサービスを備え、前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、自機のログインユーザの印刷データが記憶されている画像形成装置の前記識別情報を、前記送信手段による送信先とされている、ネームサービスを備える画像形成装置に要求する要求手段と、前記要求手段による要求を行う際に前記プライマリのネームサービスの応答確認を行い、前記プライマリのネームサービスが応答可能な動作状態か判定する判定手段と、前記プライマリのネームサービスが応答可能な動作状態となっていない場合は、前記第３の画像形成装置に要求して前記ログインユーザの印刷データが記憶されている画像形成装置の識別情報を受信し、応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、前記受信手段により受信した前記識別情報の示す画像形成装置から、前記ログインユーザの印刷データを取得する取得手段と、を備える第１の画像形成装置と通信可能な第２の画像形成装置であって、
前記送信手段により送信され受信した前記識別情報を用いて、自機に記憶されている、ユーザの印刷データが記憶されている画像形成装置の識別情報の一覧を更新する更新手段
を備え、
前記更新手段は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする第２の画像形成装置。
【請求項８】
情報処理装置と通信可能であって、また、取得した印刷データを印刷する印刷サービス、及び、いずれの識別情報の画像形成装置にいずれのユーザの印刷データが記憶されているかを管理するネームサービスを備え、前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、自機のログインユーザの印刷データが記憶されている画像形成装置の前記識別情報を、前記送信手段による送信先とされている、ネームサービスを備える画像形成装置に要求する要求手段と、前記要求手段による要求を行う際に前記プライマリのネームサービスの応答確認を行い、前記プライマリのネームサービスが応答可能な動作状態か判定する判定手段と、前記プライマリのネームサービスが応答可能な動作状態となっていない場合は、前記第３の画像形成装置に要求して前記ログインユーザの印刷データが記憶されている画像形成装置の識別情報を受信し、応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、前記受信手段により受信した前記識別情報の示す画像形成装置から、前記ログインユーザの印刷データを取得する取得手段と、を備える第１の画像形成装置と通信可能な第２の画像形成装置の制御方法であって、
前記第２の画像形成装置において、
前記送信手段により送信され受信した前記識別情報を用いて、自機に記憶されている、ユーザの印刷データが記憶されている画像形成装置の識別情報の一覧を更新する更新工程
を含み、
前記更新工程は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする第２の画像形成装置の制御方法。
【請求項９】
情報処理装置と通信可能であって、また、取得した印刷データを印刷する印刷サービス、及び、いずれの識別情報の画像形成装置にいずれのユーザの印刷データが記憶されているかを管理するネームサービスを備え、前記情報処理装置から受信した印刷データのユーザ識別情報と前記印刷データを記憶する自機の識別情報を、前記ユーザ識別情報及び自機の識別情報の送信先とする画像形成装置の識別情報の一覧における、プライマリのネームサービスを備える第２の画像形成装置及びセカンダリのネームサービスを備える第３の画像形成装置に送信する送信手段と、自機のログインユーザの印刷データが記憶されている画像形成装置の前記識別情報を、前記送信手段による送信先とされている、ネームサービスを備える画像形成装置に要求する要求手段と、前記要求手段による要求を行う際に前記プライマリのネームサービスの応答確認を行い、前記プライマリのネームサービスが応答可能な動作状態か判定する判定手段と、前記プライマリのネームサービスが応答可能な動作状態となっていない場合は、前記第３の画像形成装置に要求して前記ログインユーザの印刷データが記憶されている画像形成装置の識別情報を受信し、応答可能な動作状態となっている場合は、前記第３の画像形成装置には前記識別情報を要求することなく、前記第２の画像形成装置に要求して前記ログインユーザの印刷データが記憶されている画像形成装置の識別情報を受信する受信手段と、前記受信手段により受信した前記識別情報の示す画像形成装置から、前記ログインユーザの印刷データを取得する取得手段と、を備える第１の画像形成装置と通信可能な第２の画像形成装置を制御するためのプログラムであって、
前記第２の画像形成装置を、
前記送信手段により送信され受信した前記識別情報を用いて、自機に記憶されている、ユーザの印刷データが記憶されている画像形成装置の識別情報の一覧を更新する更新手段として機能させ、
前記更新手段は、前記第１の画像形成装置からの前記識別情報の次の受信による識別情報の一覧の更新より先に更新させるべく、自機のネームサービスが応答可能な動作状態となる場合に、前記印刷サービスによる送信先とされている自機のネームサービスが応答可能な動作状態でなかった間も前記識別情報を受信して更新していたセカンダリのネームサービスを備える第３の画像形成装置と通信し、前記セカンダリのネームサービスと同期して自機内の前記識別情報の一覧の更新を行うことを特徴とする第２の画像形成装置のプログラム。